(57)【要約】【課題】レンズ内駆動方式の光量調節装置において、小型かつ高速絞り込み駆動を可能にすること【解決手段】駆動部材と、駆動部材により光軸を中心として回転可能な駆動リングと、駆動リングと弾性部材を介して連結され、光軸を中心として回転可能な羽根リングと、羽根リングの回転を規制する規制部材と、羽根リングの回転に伴って撮影光路内に進退し、撮影光の透過光量を規制する絞り羽根と、を有する光量調節装置であって、光量調節装置は、駆動リングおよび羽根リングが初期位置である第１の状態と、規制部材が羽根リングの回転を規制した状態で、第１の状態から駆動リングが回転する第２の状態と、第２の状態から規制部材が羽根リングの回転の規制を解除し、弾性部材が羽根リングを回転させるとともに絞り羽根が撮影光路内に進入する第３の状態を有する。【選択図】図１
2015166811.tif 000002
【特許請求の範囲】
【請求項１】
駆動部材と、
前記駆動部材により光軸を中心として回転可能な駆動リングと、
前記駆動リングと弾性部材を介して連結され、前記光軸を中心として回転可能な羽根リングと、
前記羽根リングの回転を規制する規制部材と、
前記羽根リングの回転に伴って撮影光路内に進退し、撮影光の透過光量を規制する絞り羽根と、を有する光量調節装置であって、
前記光量調節装置は、前記駆動リングおよび前記羽根リングが初期位置である第１の状態と、前記規制部材が前記羽根リングの回転を規制した状態で、前記第１の状態から前記駆動リングが回転する第２の状態と、前記第２の状態から前記規制部材が前記羽根リングの回転の規制を解除し、前記弾性部材が前記羽根リングを回転させるとともに前記絞り羽根が前記撮影光路内に進入する第３の状態を有することを特徴とする光量調節装置。
【請求項２】
前記弾性部材は、前記第２の状態において、前記第１および第３の状態よりも引き延ばされていることを特徴とする請求項１に記載の光量調節装置。
【請求項３】
前記駆動部材は、電磁アクチュエータであることを特徴とする請求項１または２に記載の光量調節装置。
【請求項４】
前記弾性部材は、バネであることを特徴とする請求項１から３のいずれか１項に記載の光量調節装置。
【請求項５】
請求項１から４のいずれか１項に記載の光量調節装置を有することを特徴とする光学機器。
【請求項６】
前記第２の状態において、前記駆動部材は、被写体の測光にしたがって前記駆動リングを駆動することを特徴とする請求項５に記載の光学機器。
【請求項７】
前記第２の状態において、前記駆動部材は、あらかじめ設定された絞り値にしたがって前記駆動リングを駆動することを特徴とする請求項５に記載の光学機器。
【請求項８】
シャッターボタンを更に有し、
前記光量調節装置は、前記シャッターボタンの半押し動作により前記第２の状態に移行し、前記シャッターボタンの全押し動作により前記第３の状態に移行することを特徴とする請求項５から７のいずれか１項に記載の光学機器。
【発明の詳細な説明】
【技術分野】
【０００１】
本発明は、レンズ内に駆動源を有するレンズ内駆動方式の光量調節装置および光学機器に関する。
【背景技術】
【０００２】
近年、レリーズタイムラグ（撮影者がレリーズボタンを押してから実際に撮像するまでの時間）短縮のために、絞り装置には高速かつ正確に駆動することが要求される。例えば、特許文献１の一眼レフカメラでは、カメラ本体側の絞り駆動機構により交換レンズ側の絞りを駆動している。
【先行技術文献】
【特許文献】
【０００３】
【特許文献１】特開平０８−０１５７４８号公報
【発明の概要】
【発明が解決しようとする課題】
【０００４】
しかしながら、特許文献１に開示された従来技術を交換レンズ内に絞り駆動機構を配置するレンズ内駆動方式に適用した場合、絞り込み動作を高速にするためには絞り駆動機構を大型化することで対応できるが、現行のレンズ外形に収まらなくなってしまう。
【０００５】
このような課題を鑑みて、本発明は、レンズ内駆動方式の光量調節装置において、小型かつ高速絞り込み駆動を可能にすることを目的とする。
【課題を解決するための手段】
【０００６】
上記目的を達成するために本発明は、駆動部材と、前記駆動部材により光軸を中心として回転可能な駆動リングと、前記駆動リングと弾性部材を介して連結され、前記光軸を中心として回転可能な羽根リングと、前記羽根リングの回転を規制する規制部材と、前記羽根リングの回転に伴って前記撮影光路内に進退し、撮影光の透過光量を規制する絞り羽根と、を有する光量調節装置であって、前記光量調節装置は、前記駆動リングおよび前記羽根リングが初期位置である第１の状態と、前記規制部材が前記羽根リングの回転を規制した状態で、前記第１の状態から前記駆動リングが回転する第２の状態と、前記第２の状態から前記規制部材が前記羽根リングの回転の規制を解除し、前記弾性部材が前記羽根リングを回転させるとともに前記絞り羽根が前記撮影光路内に進入する第３の状態を有することを特徴とする。
【発明の効果】
【０００７】
本発明によれば、レンズ内駆動方式の光量調節装置において、小型かつ高速絞り込み駆動を可能にすることができる。
【図面の簡単な説明】
【０００８】
【図１】本発明の実施形態に係る光量調節装置の要部斜視図である。
【図２】光量調節装置の初期状態を表す要部斜視図である。
【図３】光量調節装置の予備動作が完了した状態を表す要部斜視図である。
【図４】光量調節装置の絞り込み動作が完了した状態を表す要部斜視図である。
【発明を実施するための形態】
【０００９】
以下、本発明の実施例について、図面を参照しながら詳細に説明する。各図において、同一の部材については同一の参照番号を付し、重複する説明は省略する。
【００１０】
まず、図１を用いて、本発明の実施形態に係る光量調節装置１００の構成を説明する。図１は、本発明の実施形態に係る光量調節装置１００の要部斜視図である。光量調節装置（電磁駆動絞り装置）１００は、例えば、デジタル一眼レフカメラなどに取り付けられる交換式レンズ（光学機器）に搭載されており、撮像時の露光量を調節するために用いられる。
【００１１】
駆動リング１は、電磁アクチュエータであるモータ（駆動部材）２の駆動力を、モータ２に取り付けられたピニオンギア３を介して、ギア部１ａに受けて光軸Ａを中心に回転する。モータ２は、カバープレート４に固定されている。カバープレート４は、駆動リング１を回転可能に支持する。撮影光路内に進退する複数の絞り羽根５には、羽根リング６側にダボ部５ａが形成されている。ダボ部５ａは、羽根リング６に形成された複数の嵌合穴６ａに相対回転自在に嵌合している。羽根リング６は、駆動リング１と略同一回転中心上で回転可能なように駆動リング１に相対回転自在に支持される。カバープレート４は、駆動リング１、羽根リング６、および絞り羽根５を挟み込む形で、カムプレート７に係合する。この際、絞り羽根５のカムプレート７側に形成されたダボ部５ｂは、カムプレート７に形成された複数のカム溝７ａに嵌合している。付勢バネ（弾性部材）８の第１端８ａは駆動リング１の係止ダボ１ｂに、第２端８ｂは羽根リング６の係止ダボ６ｂに係合する。結果として、羽根リング６は、付勢バネ８を介して駆動リング１に連結されており、駆動リング１に対して図中時計方向への回転力が付与される状態となっている。ラッチ部材（規制部材）９は、カムプレート７の支持軸７ｂに回転可能に軸支されるともに、バネ１０により図中時計方向に回転付勢されている。また、ラッチ部材９は、電磁石（不図示）の作用により、バネ１０の付勢力に抗して、反時計方向へ回転可能となる。組み込み状態においては、ラッチ部材９の爪部９ａは、羽根リング６の被係止部６ｃと係合して羽根リング６の図中時計方向への回転を規制する。
【００１２】
次に、図２から図４を用いて、光量調節装置１００の詳細動作について説明する。図２は、光量調節装置１００の初期状態を表す要部斜視図である。図３は、光量調節装置１００の予備動作が完了した状態を表す要部斜視図である。図４は、光量調節装置１００の絞り込み動作が完了した状態を表す要部斜視図である。なお、モータ２やカバープレート４は、説明の都合上省略している。
【００１３】
初期状態からモータ２の駆動力が、ピニオンギア３を介して、駆動リング１のギア部１ａに伝達されると、モータ２の駆動力により駆動リング１は光軸を中心に図中時計方向へ回転運動を開始する。付勢バネ８の第１端８ａは駆動リング１の係止ダボ１ｂに、第２端８ｂは羽根リング６の係止ダボ６ｂに係合している。また、ラッチ部材９の爪部９ａは、羽根リング６の被係止部６ｃと係合し、羽根リング６の回転を規制している。そのため、駆動リング１は付勢バネ８を引き延ばしながら回転する。その結果、光量調節装置１００は、図３に示す状態となる。
【００１４】
図２の状態から図３の状態に移行する際の駆動リング１の回転量は、撮影者がシャッターボタンの半押し動作を行うことで撮影準備動作の一環として被写体の測光が行われ、その結果から適正光量になる絞り値に応じた回転量である。また、絞り優先モードの撮影時には、設定絞り位置に相当する回転量としてもよい。ここまでで、絞り込み駆動の予備動作が完了する。
【００１５】
図３では、上述したように、駆動リング１は図中時計方向へ所定量だけ回転した状態となっているが、羽根リング６は初期位置に留まった状態となっている。結果として、付勢バネ８は、引き延ばされ、駆動リング１に対して羽根リング６を時計方向へ付勢する力が蓄積された状態となる。この状態において、撮影者がシャッターボタンを全押ししてシャッターレリーズ動作を行うと、シャッター解放動作に先だって、電磁石（不図示）の作用によりラッチ部材９は図中反時計方向へ回転し、羽根リング６の回転の規制を解除する。また、解除動作の前に、最終露光量を判定し、その値に応じた位置まで駆動リング１の最終位置調整を行ってから解除動作を行うこともできる。規制が解除された羽根リング６は、付勢バネ８のバネ力により図中時計方向へ回転する。この際、絞り羽根５のダボ部５ａは羽根リング６の嵌合穴に係合し、ダボ部５ｂはカム溝７ａに案内されるため、羽根リング６の回転運動に伴い、絞り羽根５全体が光軸周りに回転しつつ、撮影光路内にその一部が進入し開口量の調節を可能とする。絞り羽根５は、付勢バネ８の弾性力により図中時計方向に回転した羽根リング６によって、撮影光路を適正光量になる位置まで遮蔽する。そして、羽根リング６の係止ダボ６ｂが駆動リング１に形成された挿通溝１ｃの一端部(不図示)に当接する位置まで回転すると、羽根リング６が停止し、絞り込み動作が完了する。このとき、光量調節装置１００は、図４に示す状態となる。そして、撮影開口部に進入した絞り羽根５が決められた透過光量を透過させる。
【００１６】
以上、本発明の好ましい実施形態について説明したが、本発明はこれらの実施形態に限定されず、その要旨の範囲内で種々の変形及び変更が可能である。
【符号の説明】
【００１７】
１      駆動リング
２      モータ（駆動部材）
５      絞り羽根
６      羽根リング
８      付勢バネ（弾性部材）
９      ラッチ部材（規制部材）
１００  光量調節装置
【図１】
2015166811.tif 000003
【図２】
2015166811.tif 000004
【図３】
2015166811.tif 000005
【図４】
2015166811.tif 000006